(57)【要約】      （修正有）【課題】複数階級の絞り調整が可能なレンズ装置を提供する。【解決手段】絞り調整が可能なレンズ装置であって、プレート、第１の絞り調整羽根３１、第２の絞り調整羽根３２及び第１の絞り調整羽根３１、第２の絞り調整羽根３２に接続される第１のドライバ３５、第２のドライバ３６を備え、プレートにおいて、絞り開口径が規定されており、第１のドライバ３５、第２のドライバ３６が第１の位置にある時に、光がプレートの絞り開口部を完全に透過し、第２の位置にある時に、光がプレートの絞り開口部の一部を透過しるように、第１の絞り調整羽根３１、第２の絞り調整羽根３２を変位させる。【選択図】図１
2018109741.tif 000002
【特許請求の範囲】
【請求項１】
光学系フレームと、  
前記光学系フレーム上に配置されるレンズ系と、  
前記光学系フレーム上に固定して設けられ又は前記光学系フレームから延伸して形成されるプレートであって、該プレートに絞りの開口径が規定されているプレートと、  
前記プレートに接続され、円弧形輪郭を含み、第１の位置にある時に、光が前記プレートの絞り開口部を完全に透過し、前記円弧形輪郭が、前記プレートの絞り開口における一部の輪郭に対応し、第２の位置にある時に、光が前記プレートの絞り開口部の一部を透過するように設けられる絞り調整羽根と、  
前記絞り調整羽根に接続され、前記絞り調整羽根を変位させるドライバと、  
を含むことを特徴とする絞り調整が可能なレンズ装置。  
【請求項２】
前記光学系フレームに固定されるカバーボードと、  
前記プレートに接続される別の絞り調整羽根と  
をさらに含み、  
前記カバーボードが前記プレートから一定の距離を置いて設けられ、  
前記カバーボードと前記プレートの間に、前記絞り調整羽根を収容するための収容空間が設けられることを特徴とする請求項１に記載の絞り調整が可能なレンズ装置。  
【請求項３】
前記別の絞り調整羽根に接続され、前記別の絞り調整羽根を変位させる別のドライバをさらに含み、  
前記絞り調整羽根に、前記プレートの絞り開口径より小さい直径を有する穴が設けられ、前記ドライバは、前記絞り調整羽根の前記穴を、前記プレートの絞り開口部と重なるように変位させ、  
前記別の絞り調整羽根に別の穴が設けられ、前記別の絞り調整羽根が別の円弧形輪郭を含み、  
前記別のドライバは、前記別の絞り調整羽根における別の穴を、前記プレートの絞り開口部と重なるように変位させ、  
前記絞り調整羽根と前記別の絞り調整羽根が交差するように設けられ、  
その中で、前記ドライバは、前記絞り調整羽根を開放位置又は閉合位置に駆動させるように設けられ、前記別のドライバは、前記別の絞り調整羽根を開放位置又は閉合位置に駆動させるように設けられ、前記ドライバが前記絞り調整羽根を閉合位置に駆動させ、且つ前記別のドライバが前記別の絞り調整羽根を開放位置に駆動させた場合に、前記レンズ装置の絞りは、前記絞り調整羽根における穴の開口径によって規定され、  
前記ドライバが前記絞り調整羽根を開放位置に駆動させ、且つ前記別のドライバで前記別の絞り調整羽根を閉合位置に駆動させた場合に、前記レンズ装置の絞りは、前記別の絞り調整羽根における別の穴の開口径によって規定され、  
前記別のドライバが前記別の絞り調整羽根を開放位置に駆動させた場合に、前記別の絞り調整羽根の前記別の円弧形輪郭は、前記プレートの絞り開口における他の一部の輪郭に対応し、  
その中で、前記絞り調整羽根が前記光学系フレーム上に枢設され、前記ドライバに駆動されて円弧形軌道で運動する回転棒が前記ドライバ上に設けられ、前記円弧形軌道に対応する軌道穴が前記光学系フレームに設けられ、付勢穴が前記絞り調整羽根に設けられ、前記回転棒が前記軌道穴及び前記付勢穴を貫通して設けられ、前記回転棒は、前記ドライバに駆動されて回転する時に、付勢穴を介して付勢することにより、前記絞り調整羽根を開放位置又は閉合位置に移動させ、前記別の絞り調整羽根が前記光学系フレーム上に枢設され、前記別のドライバに駆動されて円弧形軌道で運動する回転棒が、前記別のドライバ上に設けられ、前記円弧形軌道に対応する軌道穴が前記光学系フレームに設けられ、付勢穴が前記別の絞り調整羽根に設けられ、前記回転棒が前記軌道穴及び前記付勢穴を貫通して設けられ、前記回転棒は、前記別のドライバに駆動されて回転する時に、付勢穴を介して付勢することにより、前記別の絞り調整羽根を開放位置又は閉合位置に移動させることを特徴とする請求項２に記載の絞り調整が可能なレンズ装置。  
【請求項４】
前記光学系フレームは、  
前記プレート、及び前記絞り調整羽根を取り付けるために設けられる基盤と、  
前記ドライバを取り付けるために設けられるドライバベースと、  
前記レンズ系におけるレンズを取り付けるために設けられるレンズベースと、  
を備え、  
前記ドライバベースは前記基盤と前記レンズベースとの間に設けられ、前記ドライバは前記ドライバベースの側辺に設けられ、  
前記基盤、前記ドライバベース、及び前記レンズベースのうち、少なくとも二者又は全部が一体成形される  
ことを特徴とする請求項１に記載の絞り調整が可能なレンズ装置。
【発明の詳細な説明】
【技術分野】
【０００１】
本発明はレンズ装置に関するものであり、特に、絞り調整が可能なレンズ装置に関するものである。  
【背景技術】
【０００２】
従来、絞り調整が可能なレンズ装置は、デジタルカメラや、デジタルビデオカメラなどの大型電子デバイスのみにおいて実現されている。現在、スマートフォン又はタブレットでは、プラグインレンズを用いて撮影の能力を向上させ、プラグインレンズの絞り調整機能を利用して絞り調整を実現できるが、一般的な携帯端末の絞りは固定されたものであり、携帯端末の薄さに対する要求を考慮すると、その機体の本体に絞り調整構造を配置することは、本技術分野において極めて困難な問題である。ところが、携帯端末自体で絞り調整可能な機能を実現することは、被写界深度を変えることができ、写真の品質を高めることができるため、非常に実用的な機能である。したがって、携帯端末自身で絞り調整可能な機能を実現することは、本分野の課題の一つとなっている。  
【発明の概要】
【発明が解決しようとする課題】
【０００３】
本発明は、従来技術における携帯端末の絞りが固定されているという問題に鑑み、レンズの絞り調整が可能なレンズ装置を提供し、レンズの絞り調整を実現することを目的としている。  
【課題を解決するための手段】
【０００４】
本発明は、上記目的を達成するために、絞り調整が可能なレンズ装置を提供する。前記レンズ装置は、光学系フレームと、光学系フレーム上に配置されるレンズ系と、光学系フレーム上に固定して設けられ又は光学系フレームから延伸して形成され、且つ絞りの開口径が規定されるプレートと、前記プレートに接続され、第１の位置にある時に、光が前記プレートの絞り開口部を完全に透過し、第２の位置にある時に、光が前記プレートの絞り開口部の一部を透過するように設けられる絞り調整羽根と、前記絞り調整羽根を変位させるために前記絞り調整羽根に接続されるドライバとを備える。  
【０００５】
本発明の実施形態において、絞り調整羽根に開口径を有する穴が設けられ、ドライバにより絞り調整羽根を、その穴を光軸における、元の絞り開口部と重なる位置に変位させるように駆動することで、レンズの絞りを調整可能となる。ここで、例えば携帯端末でのカメラレンズにおける複数階級の絞り調整を実現し、撮影時に絞りを選択することにより被写界深度を調整できるように、前記絞り調整羽根及びドライバは複数組で設置されている。また、本発明の実施形態において、一つの絞り調整羽根が一つのドライバに対応するため、故障が発生したとしても、便利に修理や交換することができる。  
【発明の効果】
【０００６】
本発明に係る絞り調整が可能なレンズ装置を実施することにより、以下のような有益な効果が得られる。具体的に、例えば、撮影カメラレンズにおける複数階級の絞りの調整を実現することができ、撮影する時、絞りの選択により被写界深度の調整を実現できる。また、本発明の実施例において、一つの絞り調整羽根が一つのドライバに対応するため、故障が発生したとしても、便利に修理や交換することができる。  
【図面の簡単な説明】
【０００７】
【図１】図１は本発明の第１の実施形態に係る絞り調整が可能なレンズ装置の分解概略図である。
【図２】図２は本発明の第１の実施形態において、第１の絞り調整羽根及び第２の絞り調整羽根が開放位置にある時の概略図である。
【図３】図３は本発明の第１の実施形態において、第１の絞り調整羽根が開放位置にあり、第２の絞り調整羽根が閉合位置にある時の概略図である。
【図４】図４は本発明の第１の実施形態において、第１の絞り調整羽根が閉合位置にあり、第２の絞り調整羽根が開放位置にある時の概略図である。
【図５】図５は本発明の第２の実施形態に係る絞り調整が可能なレンズ装置の分解概略図である。
【図６】図６は本発明の第２の実施形態において、第１の絞り調整羽根が開放位置にある時の概略図である。
【図７】図７は本発明の第１の実施形態において、第１の絞り調整羽根が閉合位置にある時の概略図である。
【発明を実施するための形態】
【０００８】
本発明の目的、技術手段及び効果をより明瞭且つ明確に分かるように、以下、図面を参照しながら、実施形態を挙げて本発明をさらに詳細に説明する。本明細書に記載の特定の実施形態は、単に本発明を説明するために使用されるものであり、本発明の明細書に使用される用語「実施形態」は、実際例、模範例、又は検証例として用いられるものであり、本発明を限定するものではない。また、特別な指定が無ければ、又は、文脈から単数形と理解できる場合でなければ、本発明の明細書及び添付の特許請求の範囲に用いられる用語「一つ」は、一般的に、「一つ又は一つ以上」を指すと理解されるべきである。また、添付の図面において、構造や機能が類似している要素又は同一の要素は、同一の符号で記載する。  
【０００９】
本発明は、少なくとも携帯電話、スマートフォン、タブレットパソコンと撮像機能を有するウェアラブル装置などに適用できる、絞り調整が可能なレンズ装置を提供する。本発明は、絞りの大きさが調整可能な機能を携帯端末に付与することにより、ユーザが携帯端末を利用して撮影する時に、絞りを選択して被写界深度を調整することができる。  
【００１０】
図１は、本発明の第１の実施形態に係る絞り調整が可能なレンズ装置の分解図である。本発明の第１の実施形態に係るレンズ装置は、電子デバイス内に配置可能である。適用される電子装置は、携帯電話、スマートフォン、タブレットパソコン及び携帯ゲーム機など、撮影レンズを備える装置であってもよい。また、撮影カメラや、ビデオカメラなどの撮影レンズを備える装置であってもよい。  
【００１１】
図１に示すように、本発明の第１の実施形態に係るレンズ装置は、基盤２２、ドライバベース２４、レンズベース２６を備え、前記レンズ装置は、さらに、第１の絞り調整羽根３１、第２の絞り調整羽根３２、カバーボード３３、底板３４、第１のドライバ３５と第２のドライバ３６、レンズ系３７及び画像記録装置３８を備える。図１の実施形態に示すように、第１の絞り調整羽根３１、第２の絞り調整羽根３２、カバーボード３３及び底板３４は、基盤２２上に取り付けられる。第１のドライバ３５及び第２のドライバ３６はドライバベース２４上に固定され、また、レンズ系３７及び画像記録装置３８はレンズベース２６上に配置される。  
【００１２】
なお、上述した構成は単なる例示に過ぎない。基盤２２、ドライバベース２４及びレンズベース２６の間における分別ははっきりしなくても良い。これらを光学系フレームとして考えてもいい。又は、その中のいずれの二者を一体となるように結合してもよい。又は、基盤２２、ドライバベース２４及びレンズベース２６の少なくとも二者又は全部を同じ材料で一体成形することにより、レンズ装置の全体的なサイズを縮小することができる。例えば、ドライバベース２４及びレンズベース２６を一つの基盤となるように一体成形してもよい。  
【００１３】
具体的に、底板３４は基盤２２上に固定して配置される。底板３４は、基盤２２から延びて形成されてもよく、又は、基盤２２の一部であってもよい。カバーボード３３は、底板３４から距離を置いて配置され、好ましくは、基盤２２上に固定される。カバーボード３３は、様々な方法で基盤２２上に固定されることができる。例えば、カバーボード３３上に支脚を設け、基盤２２上に相応な溝を設け、支脚と溝の係合又は嵌合により、カバーボード３３を基盤２２上に設ける。  
【００１４】
カバーボード３３と底板３４との間に、ある程度の距離が置かれて、第１の絞り調整羽根３１と第２の絞り調整羽根３２を収容するための収容空間が形成される。第１の絞り調整羽根３１と第２の絞り調整羽根３２は、レンズ装置の絞りを変更又は調整するものである。また、図１に示すように、駆動ベース２４に、第１の駆動部３５と第２のドライバ３６をそれぞれに収容するための第１の収容空間２４１と第２の収容空間２４２が配置される。第１のドライバ３５は第１の絞り調整羽根３１を変位させるように第１の絞り調整羽根３１を駆動し、第２のドライバ３６は第２の絞り調整羽根３２を変位させるように第２の絞り調整羽根３２を駆動することにより、レンズ装置の絞りが変更又は調整される。好ましくは、第１のドライバ３５及び第２のドライバ３６は駆動モーターであり、電流制御型電動モーターで実現可能である。第１のドライバ３５及び第２のドライバ３６は従来の電動モーターの構成を用いることができる。  
【００１５】
図１に示すように、基盤２２に、第１のシャフト２２１が設けられ、第１の絞り調整羽根３１において、第１のシャフト２２１に対応する位置に第１の軸穴３１１が設けられ、底板３４とカバーボード３３にも、対応する位置に穴が設けられ、第１のシャフト２２１は、底板３４及びカバーボード３３におけるこれらの対応する穴及び第１の絞り調整羽根における第１の軸穴を貫通するように設けられ、又は、底板３４及びカバーボード３３は、第１のシャフト２２１が第１の絞り調整羽根３１における第１の軸穴３１１を通過することを阻害しないように設けられる。これにより、第１のシャフト２２１及び第１の軸穴３１１を設けることで、第１の絞り調整羽根３１を第１のシャフト２２１の軸の周りに回転させることができる。  
【００１６】
それに対応して、基盤２２に、第２のシャフト２２２が設けられ、第２の絞り調整羽根３２は、第２のシャフト２２２軸に対応する位置において第２の軸穴３２１を有し、底板３４及びカバーボード３３にも、対応する位置において穴を設けることができる。第２のシャフト２２２は、底板３４及びカバーボード３３におけるこれらの対応する穴及び第２の絞り調整羽根３２における第２の軸穴３２１を貫通するように設けられ、又は、底板３４及びカバーボード３３は、第２のシャフト２２２が第２の絞り調整羽根３２における第２の軸穴３２１を通過することを阻害しないように設けられる。これにより、第２のシャフト２２２及び第２の軸穴３２１を設けることで、第２の絞り調整羽根３２を第２のシャフト２２２の軸の周りに回転させることができる。  
【００１７】
第１のドライバ３５は、第１のドライバ３５の駆動により円弧形に運動させる第１の回転棒３５１を有する。第１のドライバ３５が、第１の回転棒３５１を円形又は円弧形に運動させるように、第１のドライバ３５と第１の回転棒３５１との間に、適宜な転動機構が配置される。例えば、第１の回転棒３５１は円盤状の表面上に突出して設けられる。前記円盤は、ギアを介して、第１のドライバ３５で生じた回動力を転送する。基盤２２上に、第１のドライバ３５の第１の回転棒３５１の円弧形軌道に対応して、第１のレール穴２２３が設けられ、第１の絞り調整羽根３１において、第１の付勢穴３１２が対応的に設けられ、底板３４とカバーボード３３にも、対応する位置に孔を設けることが可能であり、第１のドライバ３５の第１の回転棒３５１は基盤２２の第１のレール穴２２３、底板３４及びカバーボード３３における対応する穴及び第１の絞り調整羽根３１の第１の付勢穴３１２を貫通するように設けられ、第１の付勢穴３１２は、第１のレール穴２２３からずらして配置される。当然ながら、底板３４及びカバーボード３３は第１の回転棒３５１を妨害しないように設けられる。第１の回転棒３５１は第１のドライバ３５に駆動されて回動する時、第１の回転棒３５１は基盤２２の第１のレール穴２２３内において第１の位置から第２の位置に移動し、この時、第１の回転棒３５１は第１の絞り調整羽根３１の第１の付勢穴３１２に向かって付勢することで、第１の絞り調整羽根３１を第１の方向にトルクをかける。この時、第１の絞り調整羽根３１は第１のシャフト２２１の周りに回動することで、例えば、開放位置から閉合位置に回動することができる。第１の回転棒３５１は第１のレール穴２２３内において、第２の位置から第１の位置に移動する時、第１の回転棒３５１は第１の絞り調整羽根３１に対して、第１の方向と反対する第２の方向にトルクをかける。この時、第１の絞り調整羽根３１は例えば閉合位置から開放位置に回動することができる。  
【００１８】
それに対応して、第２のドライバ３６は、第２のドライバ３６の駆動により円弧形に運動させる第２の回転棒３６１を有する。第２のドライバ３６が第２の回転棒３６１を円形又は円弧形に運動させるように、第２のドライバ３６と第２の回転棒３６１との間に、適宜な転動機構が配置される。基盤２２上に、第２のドライバ３６の第２の回転棒３６１の円弧形軌道に対応して、第２のレール穴２２４が設けられ、第２の絞り調整羽根３２において、第２の付勢穴３２２が対応的に設けられ、底板３４とカバーボード３３にも、対応する位置に孔が設けられ、第２のドライバ３６の第２の回転棒３６１は基盤２２の第２のレール穴２２４、底板３４及びカバーボード３３における対応する穴及び第２の絞り調整羽根３２の第２の付勢穴３２２を貫通するように設けられ、第２の付勢穴３２２は、第２のレール穴２２４からずらして配置される。底板３４及びカバーボード３３は第２の回転棒３６１を妨害しないように設けられることは言うまでもない。第２の回転棒３６１は第２のドライバ３６に駆動されて回動する時、第２の回転棒３６１は基盤２２の第２のレール穴２２４内において第１の位置から第２の位置に移動し、この時、第２の回転棒３６１は第２の絞り調整羽根３２の第２の付勢穴３２２に向かって付勢することで、第２の絞り調整羽根３２を第１の方向にトルクをかける。この時、第２の絞り調整羽根３２は第２のシャフト２２２の周りを回動することで、例えば、開放位置から閉合位置に回動することができる。第２の回転棒３６１は第２のレール穴２２４内において、第２の位置から第１の位置に移動する時、第２の回転棒３６１は第２の絞り調整羽根３２に対して、第１の方向と反対する第２の方向にトルクをかける。この時、第２の絞り調整羽根３２は例えば閉合位置から開放位置に回動することができる。  
【００１９】
図１に示すように、第１の絞り調整羽根３１は、さらに、第１の円弧形輪郭３１０及び第１の開口径を有する第１の穴Ｏ１を備え、第２の絞り調整羽根３２は、さらに、第２の円弧形輪郭３２０及び第２の開口径を有する第２の穴Ｏ２を備え、第１の絞り調整羽根３１の第１の穴Ｏ１及び第２の絞り調整羽根３２の第２の穴Ｏ２の開口径は、このプレート上に規定される絞り開口部と異なり、又は、それより小さい。図１に示すように、一つの例として、第１の絞り調整羽根３１の第１の開口径が第２の絞り調整羽根３２の第２の開口径より小さい。また、光線が進入できるように、底板３４、カバーボード３３及び基盤２２において、レンズ装置の光路上に、それぞれの開口３４０、３３０、２２０が設けられ、このレンズ装置の絞り開口部がプレートに備えられる開口によって規定され、このプレートは底板３４、カバーボード３３及び基盤２２のいずれかであってもよく、または、光軸上に開口が設けられた他のモジュールであってもよい。また、この開口が遮蔽されて小さくなる場合、レンズ全体の絞り開口径も相応的に小さくなる。  
【００２０】
例えば、第１絞り調整羽根３１は、開放位置に位置する時、光がこのプレートに規定される絞り開口径で完全に透過し、また、閉合位置に位置する時、このプレートにおける絞り開口部分は透光する。類似的に、第２の絞り調整羽根３２は例えば開口位置に位置する時、光がこのプレートに規定される絞り開口径で完全に透過し、また、閉合位置に位置する時、このプレートにおける絞り開口部分は透光する。  
【００２１】
さらに、図１に合わせて、図２を参照する。第１のドライバ３５が第１の絞り調整羽根３１を開放位置に駆動し、第２のドライバ３６が第２の絞り調整羽根３２を開放位置に駆動した場合に、第１の絞り調整羽根３１の第１の円弧形輪郭３１０は、底板３４、カバーボード３３及び基盤２２の開口３４０、３３０、２２０の一部の輪郭に対応する箇所に位置し、また、第２の絞り調整羽根３２の第２の円弧形輪郭３２０は、底板３４、カバーボード３３及び基盤２２の開口３４０、３３０、２２０の他の一部の輪郭に対応する箇所に位置する。つまり、レンズ装置全体の絞りは初期の大きさである。第１の絞り調整羽根３１及び第２の絞り調整羽根３２は、それぞれ第１のドライバ３５及び第２のドライバ３６とともにモジュール化して設けられ、また、第１の絞り調整羽根３１及び第２の絞り調整羽根３２は、オバーラップして（上下に重なって）設けられる時、第１の絞り調整羽根３１又は第２の絞り調整羽根３２のモジュールの交換は、もう一方のモジュールに妨害されなく、入替しやすくなる。  
【００２２】
さらに、図１に合わせて、図３を参照する。第１のドライバ３５が第１の絞り調整羽根３１を例えば開放位置に駆動し、第２のドライバ３６が第２の絞り調整羽根３２を閉合位置に駆動した場合に、第１の絞り調整羽根３１の第１の円弧形輪郭３１０は、底板３４、カバーボード３３及び基盤２２の開口３４０、３３０、２２０の一部の輪郭に対応する箇所に位置し、また、第２の絞り調整羽根３２の第２の穴Ｏ２は、レンズの光軸上に変位し、前記プレート（底板３４、カバーボード３３及び基盤２２）の絞り開口径と重なる箇所に変位し、この時、レンズ装置の絞りは、第２の絞り調整羽根３２の第２の穴Ｏ２の第２の開口径によって規定される。  
【００２３】
さらに、図１に合わせて、図４を参照する。第１のドライバ３５で第１の絞り調整羽根３１を例えば閉合位置に駆動し、第２のドライバ３６で第２の絞り調整羽根３２を例えば開放位置に駆動する時、第２の絞り調整羽根３２の第２の円弧形輪郭３２０は、底板３４、カバーボード３３及び基盤２２の開口３４０、３３０、２２０の一部の輪郭に対応する箇所に位置し、また、第１の絞り調整羽根３１の第１の穴Ｏ１は、レンズの光軸上に変位し、前記プレート（底板３４、カバーボード３３及び基盤２２）の絞り開口径と重なる箇所に変位し、この時、レンズ装置の絞りは、第１の絞り調整羽根３１の第１の穴Ｏ１の第１の開口径によって規定される。  
【００２４】
前記構造では、前記光学系の絞りを前記プレートの絞り開口径、第１の開口径、又は第２の開口径に調整することができる。また、第１のドライバ３５及び第２のドライバ３６は、光学系フレームの側面に配置することができる。例えば、ドライバベースの対応する両側に配置することができる。前記実施形態において、例として、２つの絞り調整羽根３１、３２が２つのドライバ３５、３６に結合される。一つの絞り調整羽根及び一つのドライバを一組の絞り調整機構とすれば、一組の絞り調整機構だけを備えてもよいが、それ以上の階級の絞り調整を実現するために、光学系のフレームの側面に三組、四組、又はそれ以上の絞り調整機構を配置してもよい。また、前後において、二つ又は二つ以上の絞りチャンバーを配置してもよい。その中、絞りチャンバーごとに、開口径が順次に大きくなるように配列されている複数の穴が設置され、ユーザにより開口径を選択して使用される。  
【００２５】
また、本発明の第２の実施形態を説明する。図５に示すように、第２の実施形態は、第１の実施形態の符号を流用する。第１の実施形態と異なって、第２の実施形態は、そのレンズ装置が第１の絞り調整羽根３１及び第１のドライバ３５のみを含む。  
【００２６】
さらに図５に合わせて図６を参照する。例えば開放位置に変位させるように、第１のドライバ３５にて第１の絞り調整羽根３１を駆動する時、第１の絞り調整羽根３１の第１の円弧形輪郭３１０が、底板３４、カバーボード３３及び基盤２２の開口３４０、３３０、２２０の一部の輪郭に対応する箇所に位置する。つまり、レンズ装置全体の絞りは、初期のサイズである。第１の絞り調整羽根３１は第１のドライバ３５とともにモジュール化される。  
【００２７】
さらに図５に合わせて図７を参照する。例えば閉合位置に変位させるように、第１のドライバ３５にて第１の絞り調整羽根３１を駆動する時、第１のドライバ３５により、第１の絞り調整羽根３１の第１の穴Ｏ１をレンズの光軸上に変位させ、前記プレート（例えば、底板３４、カバーボード３３及び基盤２２）の絞り開口径と重なる位置に変位させる。この場合、レンズ装置の絞りは、第１の絞り調整羽根３１の第１の穴Ｏ１の第１の開口径によって規定される。  
【００２８】
本発明の実施形態において、開口径を有する穴が絞り調整羽根に設置されており、ユーザは、その穴を光軸上に、元の絞り開口径と重なる位置に変位させるように、ドライバにて絞り調整羽根を駆動することにより、レンズの絞りを調整することができる。例えばカメラレンズの複数階級の絞り調整を実現するために、前記絞り調整羽根及びドライバを複数組で設けることができ、これにより、撮影する時に、絞りの選択により、被写界深度を調整することができる。また、本発明の実施形態において、一つの絞り調整羽根は一つのドライバに結合され、故障が発生した時の修理や交換が便利である。  
【００２９】
前記のように、好ましい実施形態を用いて本発明を説明したが、これらの実施形態は、本発明を限定するものではない。当業者であれば、本発明の精神及び範囲から逸脱することなく、種々の置換や修正をすることができる。よって、本発明の範囲は、添付の特許請求の範囲によって定められる。  
【符号の説明】
【００３０】
２２  基盤    ２４  ドライバベース  
２６  レンズベース     ３１  第１の絞り調整羽根  
３２  第２の絞り調整羽根  ３３  カバーボード  
３４  底板    ３５  第１のドライバ  
３６  第２のドライバ   ３７  レンズ系３７  
３８  画像記録装置   ２２０  開口  
２２１  第１のシャフト  ２２２  第２のシャフト  
２２３  第１のレール穴  ２２４  第２のレール穴  
２４１  第１の収容空間  ２４２  第２の収容空間  
３１０  第１の円弧形輪郭  ３１１  第１の軸穴  
３１２  第１の付勢穴   ３２０ 第２の円弧形輪郭   
３２１  第２の軸穴   ３２２  第１の付勢穴  
３３０  開口    ３４０  開口  
３５１  第１の回転棒             ３６１  第２の回転棒  
Ｏ１  第１の穴   Ｏ２  第２の穴  
【図１】
2018109741.tif 000003
【図２】
2018109741.tif 000004
【図３】
2018109741.tif 000005
【図４】
2018109741.tif 000006
【図５】
2018109741.tif 000007
【図６】
2018109741.tif 000008
【図７】
2018109741.tif 000009